(57)【要約】【課題】誤り率を改善することができる受信装置および受信方法を提供すること。【解決手段】受信部１０４は、送信装置からの送信信号に対して所定の受信処理を行う。また、受信部１０４は、前記送信信号の誤りが検出された場合に送信装置からの再送信号に対して所定の受信処理を行う。選択部１０８は、前記送信信号の所定数のビットの各々の受信品質に基づいて前記所定数のビットのうち受信品質が良い高品質ビットを選択する。合成部１１０は、前記再送信号を前記高品質ビットと合成する。【選択図】      図１
2004248196.tif 000002
【特許請求の範囲】
【請求項１】
送信装置からの送信信号の誤りが検出された場合に前記送信装置からの再送信号を受信する受信装置であって、
前記送信信号の所定数のビットの各々の受信品質に基づいて前記所定数のビットのうちの受信品質が良い高品質ビットを選択する選択手段と、
前記再送信号を前記高品質ビットと合成する合成手段と、
を具備することを特徴とする受信装置。
【請求項２】
前記選択手段は、
前記送信信号が１シンボルあたり３ビット以上の情報を有する信号である場合に前記送信信号の上位２ビットを選択することにより前記高品質ビットの選択を行うことを特徴とする請求項１記載の受信装置。
【請求項３】
前記選択手段は、
前記送信信号の振幅の大小を判定して振幅が大きいと判定される送信信号のみにおいて前記高品質ビットの選択を行うことを特徴とする請求項１または請求項２記載の受信装置。
【請求項４】
前記選択手段は、
前記送信信号における前記所定数のビットのうち前記高品質ビットとして選択すべきビットの個数を前記送信信号の受信レベルに応じて適応的に変化させることを特徴とする請求項１から請求項３のいずれかに記載の受信装置。
【請求項５】
請求項１から請求項４のいずれかに記載の受信装置を具備することを特徴とする通信端末装置。
【請求項６】
請求項１から請求項４のいずれかに記載の受信装置を具備することを特徴とする基地局装置。
【請求項７】
送信装置からの送信信号の誤りが検出された場合に前記送信装置からの再送信号を受信する受信装置における受信方法であって、
前記送信信号の所定数のビットの各々の受信品質に基づいて前記所定数のビットのうちの受信品質が良い高品質ビットを選択する選択ステップと、
前記再送信号を前記高品質ビットと合成する合成ステップと、
を具備することを特徴とする受信方法。
【発明の詳細な説明】
【０００１】
【発明の属する技術分野】
本発明は、受信装置および受信方法に関し、特に、受信信号において誤りが検出された場合に再送信号を受信する受信装置および受信方法に関する。
【０００２】
【従来の技術】
近年、一般にＨ−ＡＲＱ（Ｈｙｂｒｉｄ  −  Ａｕｔｏｍａｔｉｃ  Ｒｅｐｅａｔ  ｒｅＱｕｅｓｔ）方式と呼ばれる通信方式に関する検討が盛んに行われている。Ｈ−ＡＲＱ方式において、受信装置は、送信装置からの送信信号において誤りを検出した場合に送信装置に対して送信信号の再送信を要求し、送信装置から再送信された送信信号を再送信号として受信し、送信信号および再送信号を合成した結果を用いて受信信号を生成する（たとえば特許文献１参照）。このような通信方式は、たとえばＨＳＤＰＡ（Ｈｉｇｈ−Ｓｐｅｅｄ  Ｄｏｗｎｌｉｎｋ  Ｐａｃｋｅｔ  Ａｃｃｅｓｓ）方式の無線通信システムにおいて採用されている技術である。
【０００３】
以下、上記のＨ−ＡＲＱ方式の受信装置および受信方法について説明する。図７は、従来の受信装置の構成の一例を示すブロック図である。
【０００４】
図７に示す受信装置７００は、アンテナ７０２、受信部７０４、メモリ装置７０６、合成部７０８、誤り訂正部７１０、誤り検出部７１２および受信信号出力部７１４を具備している。
【０００５】
受信部７０４は、アンテナ７０２を介して受信された送信装置からの送信信号に対してダウンコンバートおよび逆拡散等を含む所定の受信処理を行う。また、受信部７０４は、アンテナ７０２を介して受信された送信装置からの再送信号に対して所定の受信処理を行う。受信部７０４は、受信処理後の送信信号を出力する。受信部７０４は、受信処理後の再送信号を出力する。メモリ装置７０６は、受信部７０４から出力された送信信号を一時的に記憶する。
【０００６】
合成部７０８は、受信部７０４から出力された送信信号をそのまま誤り訂正部７１０に出力する。また、合成部７０８は、再送要求が行われることを示す再送要求通知信号を受信信号出力部７１４から受ける。また、合成部７０８は、受信部７０４から出力された再送信号をメモリ装置７０６によって記憶された送信信号と合成する。そして、合成部７０８は、合成後の再送信号を誤り訂正部７１０に出力する。
【０００７】
誤り訂正部７１０は、合成部７０８から出力された送信信号に対して誤り訂正を行う。誤り訂正部７１０は、誤り訂正後の送信信号を出力する。また、誤り訂正部７１０は、合成部７０８から出力された再送信号に対して誤り訂正を行う。誤り訂正部７１０は、誤り訂正後の再送信号を出力する。
【０００８】
誤り検出部７１２は、誤り訂正部７１０から出力された送信信号に対して誤り検出を行う。誤り検出部７１２は、送信信号において誤りを検出した場合に誤り検出信号を生成して受信信号出力部７１４に出力する。また、誤り検出部７１２は、誤り訂正部７１０から出力された再送信号に対して誤り検出を行う。誤り検出部７１２は、再送信号において誤りを検出した場合に誤り検出信号を生成して受信信号出力部７１４に出力する。
【０００９】
受信信号出力部７１４は、誤り訂正部７１０からの信号（送信信号または再送信号）を受信した時に誤り検出信号を受信しなかった場合、誤り訂正部７１０からの信号を受信信号として出力する。受信信号出力部７１４は、誤り訂正部７１０からの信号を受信した時に誤り検出信号を受信した場合、再送制御部（図示せず）に再送要求を行わせるための再送要求指示信号を出力する。また、受信信号出力部７１４は、再送要求通知信号を合成部７０８に出力する。
【００１０】
【特許文献１】
特開２００１−３３３０４９号公報
【００１１】
【発明が解決しようとする課題】
しかしながら、送信信号の受信品質は送信信号におけるビットによって異なるにもかかわらず、従来の受信装置および受信方法は送信信号の各ビットの受信品質を考慮せずに送信信号と合成された再送信号を用いるため、送信信号におけるビットの受信品質が悪い場合に誤り率がかえって悪化するという問題があった。
【００１２】
本発明は、かかる点に鑑みてなされたものであり、誤り率を改善することができる受信装置および受信方法を提供することを目的とする。
【００１３】
【課題を解決するための手段】
本発明の受信装置は、送信装置からの送信信号の誤りが検出された場合に前記送信装置からの再送信号を受信する受信装置であって、前記送信信号の所定数のビットの各々の受信品質に基づいて前記所定数のビットのうちの受信品質が良い高品質ビットを選択する選択手段と、前記再送信号を前記高品質ビットと合成する合成手段と、を具備する構成を採る。
【００１４】
この構成によれば、再送信号を送信信号の所定数のビットのうちの受信品質が悪い低品質ビットと合成せずに受信品質が良い高品質ビットと合成するため、低品質ビットがこの合成の結果に含まれないから、伝送効率を低下させることなく誤り率を改善することができる。
【００１５】
本発明の受信装置は、上記構成において、前記選択手段が、前記送信信号が１シンボルあたり３ビット以上の情報を有する信号である場合に前記送信信号の上位２ビットを選択することにより前記高品質ビットの選択を行う構成を採る。
【００１６】
この構成によれば、上記効果に加えて、再送信号を送信信号において受信品質が良い上位２ビットのみと合成するため、低品質ビットがこの合成の結果に含まれないから、伝送効率を低下させることなく誤り率を改善することができる。
【００１７】
本発明の受信装置は、上記構成において、前記選択手段が、前記送信信号の振幅の大小を判定して振幅が大きいと判定される送信信号のみにおいて前記高品質ビットの選択を行う構成を採る。
【００１８】
この構成によれば、上記効果に加えて、送信信号の振幅が大きいと判定される場合に再送信号を当該送信信号における高品質ビットと合成して、かつ、送信信号の振幅が小さいと判定される場合に再送信号を当該送信信号における所定数のビットのいずれとも合成しないため、さらに誤り率を改善することができる。
【００１９】
本発明の受信装置は、上記構成において、前記選択手段が、前記送信信号における前記所定数のビットのうち前記高品質ビットとして選択すべきビットの個数を前記送信信号の受信レベルに応じて適応的に変化させる構成を採る。
【００２０】
この構成によれば、上記効果に加えて、再送信号と合成される送信信号における高品質ビットの個数を送信信号の受信レベルに応じて適応的に変化させるため、如何なる伝搬環境の下においても誤り率を改善することができる。
【００２１】
本発明の通信端末装置は、上記のいずれかに記載の受信装置を具備する構成を採る。
【００２２】
この構成によれば、上記のいずれかに記載の受信装置と同様の作用効果を通信端末装置において実現することができる。
【００２３】
本発明の基地局装置は、上記のいずれかに記載の受信装置を具備する構成を採る。
【００２４】
この構成によれば、上記のいずれかに記載の受信装置と同様の作用効果を基地局装置において実現することができる。
【００２５】
本発明の受信方法は、送信装置からの送信信号の誤りが検出された場合に前記送信装置からの再送信号を受信する受信装置における受信方法であって、前記送信信号の所定数のビットの各々の受信品質に基づいて前記所定数のビットのうちの受信品質が良い高品質ビットを選択する選択ステップと、前記再送信号を前記高品質ビットと合成する合成ステップと、を具備するようにした。
【００２６】
この方法によれば、再送信号を送信信号の所定数のビットのうちの受信品質が悪い低品質ビットと合成せずに受信品質が良い高品質ビットと合成するため、低品質ビットがこの合成の結果に含まれないから、伝送効率を低下させることなく誤り率を改善することができる。
【００２７】
【発明の実施の形態】
本発明の骨子は、送信装置からの送信信号の所定数のビットのうちの受信品質が良い高品質ビットを選択して、前記送信装置からの再送信号を前記高品質ビットと合成することである。
【００２８】
以下、本発明の実施の形態について、図面を参照して詳細に説明する。
【００２９】
（実施の形態１）
図１は、本発明の実施の形態１に係る受信装置の構成を示すブロック図である。
【００３０】
図１に示す受信装置１００は、アンテナ１０２、受信部１０４、メモリ装置１０６、選択部１０８、合成部１１０、誤り訂正部１１２、誤り検出部１１４および受信信号出力部１１６を具備している。
【００３１】
受信部１０４の入力端子は、アンテナ１０２に接続されている。メモリ装置１０６の入力端子は、受信部１０４に接続されている。選択部１０８の入力端子は、メモリ装置１０６および受信信号出力部１１６に接続されている。合成部１１０の入力端子は、受信部１０４、選択部１０８および受信信号出力部１１６に接続されている。誤り訂正部１１２の入力端子は、合成部１１０に接続されている。誤り検出部１１４の入力端子は、誤り訂正部１１２に接続されている。受信信号出力部１１６の入力端子は、誤り訂正部１１２および誤り検出部１１４に接続されている。
【００３２】
受信部１０４は、アンテナ１０２を介して受信された送信装置からの送信信号に対してダウンコンバートおよび逆拡散等を含む所定の受信処理を行う。受信部１０４は、受信処理後の送信信号を出力する。また、受信部１０４は、アンテナ１０２を介して受信された送信装置からの再送信号に対して所定の受信処理を行う。受信部１０４は、受信処理後の再送信号を出力する。ここで、送信信号は、１シンボルあたり所定数のビット（たとえばＮビット（Ｎは３以上の整数））の情報を有する。
【００３３】
メモリ装置１０６は、受信部１０４から出力された受信処理後の送信信号を一時的に記憶する。
【００３４】
選択部１０８は、再送要求が行われることを示す再送要求通知信号を受信信号出力部１１６から受けることにより、再送信号が受信されることを認識する。再送信号の受信時に、選択部１０８は、メモリ装置１０６に記憶された送信信号を読み出す。そして、選択部１０８は、送信信号の所定数のビットの各々の受信品質が良いか否かに基づいて、受信品質が良いビット（高品質ビット）を選択する。一方、選択部１０８は、受信品質が悪いビット（低品質ビット）を選択しない。選択部１０８は、高品質ビットを出力する。
【００３５】
合成部１１０は、送信信号の受信時に、受信部１０４から出力された送信信号をそのまま誤り訂正部１１２に出力する。また、合成部１１０は、受信信号出力部１１６から再送要求通知信号を受けることにより、再送信号が受信されることを認識する。再送信号の受信時に、合成部１１０は、受信部１０４から出力された再送信号を選択部１０８によって選択された高品質ビットと合成する。そして、合成部１１０は、合成後の再送信号を誤り訂正部１１２に出力する。また、合成部１１０は、選択部１０８によって高品質ビットとして選択され出力されたビットがない場合に、再送信号をそのまま（つまり、送信信号と合成せずに）誤り訂正部１１２に出力する。ここで、合成部１１０によって行われる合成の方法の例としては、等利得合成法、最大比合成法またはＭＭＳＥ（Ｍｉｎｉｍｕｍ  Ｍｅａｎ  Ｓｑｕａｒｅ  Ｅｒｒｏｒ）合成法等の方法が挙げられる。
【００３６】
誤り訂正部１１２は、合成部１１０から出力された送信信号に対して誤り訂正を行う。誤り訂正部１１２は、誤り訂正後の送信信号を出力する。また、誤り訂正部１１２は、合成部１１０から出力された再送信号に対して誤り訂正を行う。誤り訂正部１１２は、誤り訂正後の再送信号を出力する。
【００３７】
誤り検出部１１４は、誤り訂正部１１２から出力された送信信号に対して誤り検出を行う。誤り検出部１１４は、送信信号において誤りを検出した場合に誤り検出信号を生成して受信信号出力部１１６に出力する。また、誤り検出部１１４は、誤り訂正部１１２から出力された再送信号に対して誤り検出を行う。誤り検出部１１４は、再送信号において誤りを検出した場合に誤り検出信号を生成して受信信号出力部１１６に出力する。ここで、誤り検出部１１４によって行われる誤り検出の方法の一例としては、ＣＲＣ（Ｃｙｃｌｉｃ  Ｒｅｄｕｎｄａｎｃｙ  Ｃｈｅｃｋ）を用いる方法等が挙げられる。
【００３８】
受信信号出力部１１６は、誤り訂正部１１２からの信号（送信信号または再送信号）を受信した時に誤り検出信号を受信しなかった場合、誤り訂正部１１２からの信号を受信信号として出力する。受信信号出力部１１６は、誤り訂正部１１２からの信号を受信した時に誤り検出信号を受信した場合、再送制御部（図示せず）に再送要求を行わせるための再送要求指示信号を出力する。また、受信信号出力部１１６は、再送要求通知信号を選択部１０８および合成部１１０に出力する。
【００３９】
次いで、上記構成を有する受信装置１００の選択部１０８における動作の一例について説明する。以下、送信信号は、たとえば１６ＱＡＭ（Ｑｕａｄｒａｔｕｒｅ  Ａｍｐｌｉｔｕｄｅ  Ｍｏｄｕｌａｔｉｏｎ）方式によって変調され１シンボルあたり４ビットの情報を有するものとして説明する。
【００４０】
選択部１０８は、再送信号の受信時に、メモリ装置１０６によって記憶された送信信号を読み出す。そして、選択部１０８は、読み出された送信信号の各シンボルにおける４ビットの各々の受信品質の良否を判定する。図２に示すとおり、この判定において、選択部１０８は、４ビットのうち上位の２ビット（１ビット目および２ビット目）を受信品質が良いと判定する。また、選択部１０８は、上位の２ビット以外のビット（この場合、３ビット目および４ビット目）を受信品質が悪いと判定する。そして、選択部１０８は、受信品質が良いと判定された上位２ビットを高品質ビットとして選択する。また、選択部１０８は、受信品質が悪いと判定された上位２ビット以外のビットを選択しない。そして、選択部１０８は、選択された上位２ビットを合成部１１０に出力する。
【００４１】
ここで、選択部１０８が送信信号における４ビットのうちの上位２ビットに関して受信品質が良いと判定し、かつ、上位２ビット以外に関して受信品質が悪いと判定する動作の根拠について説明する。
【００４２】
１シンボルで３ビット以上を伝送する場合に用いられる変調方式（たとえば１６ＱＡＭおよび８ＰＳＫ等）によって生成された信号において、上位２ビットよりも上位２ビット以外のビットに誤りが多く発生する顕著な傾向がある。たとえば１６ＱＡＭに基づく変調処理の場合、生成される信号の信号点配置は図３に示される。この場合、１ビット目および２ビット目には極性を表す情報が重畳され、かつ、３ビット目および４ビット目には振幅を表す情報が重畳される。
【００４３】
したがって、図３におけるＩ軸およびＱ軸を示す実線は、１ビット目および２ビット目の閾値を表し、かつ、図３における４本の破線は、３ビット目および４ビット目の閾値を表す。つまり、図３に示すとおり、３ビット目および４ビット目の振幅を表す情報と当該情報を判定する閾値との差は、１ビット目および２ビット目の極性を表す情報と当該情報を判定する閾値との差の半分しかないので、１ビット目および２ビット目よりも３ビット目および４ビット目においてより多くの誤りが発生するのである。このように、送信信号が１シンボルあたり３ビット以上の情報を有する場合に送信信号の上位２ビットを選択するため、再送信号を送信信号において受信品質が良い上位２ビットのみと合成するから、低品質ビットがこの合成の結果に含まれないので、伝送効率を低下させることなく誤り率を改善することができる。
【００４４】
なお、選択部１０８における動作は、上記のものに限定されない。たとえば、選択部１０８は、上記の動作に加えて、送信信号の振幅の大小を判定しても良い。この場合、選択部１０８は、この判定の結果として振幅が大きいと判定された送信信号のみにおいて高品質ビットの選択を行う。すなわち、選択部１０８は、この判定の結果として振幅が小さいと判定された送信信号において高品質ビットの選択を行わない。
【００４５】
たとえば１６ＱＡＭに基づく変調処理の場合、選択部１０８は、図４に示す信号点配置において外側に位置する１２個の信号点のいずれかによって表される送信信号において高品質ビット（この場合、上位２ビット）の選択を行う。一方、選択部１０８は、図４に示す信号点配置において内側に位置する４個の信号点のいずれかによって表される送信信号において高品質ビットの選択を行わない。このため、送信信号の振幅が大きいと判定された場合に再送信号を当該送信信号における高品質ビット（ここでは２ビット）と合成して、かつ、送信信号の振幅が小さいと判定された場合に再送信号を当該送信信号における所定数のビット（ここでは４ビット）のいずれとも合成しないため、さらに誤り率を改善することができる。
【００４６】
なお、上記において、送信信号の変調方式が１６ＱＡＭである場合について説明したが、受信装置１００を適用できる変調方式は、これに限定されない。受信装置１００は、１シンボルで３ビット以上を伝送できる変調方式であれば任意の変調方式（たとえば、８ＰＳＫ、１６ＱＡＭ、６４ＱＡＭおよび２５６ＱＡＭ等）に適用することができる。また、受信装置１００は、変調方式を適応的に変化させる方式（一般に適応変調と呼ばれる）の場合にも適用することができる。
【００４７】
このように、実施の形態１によれば、再送信号を送信信号の所定数のビットのうちの受信品質が悪い低品質ビットと合成せずに受信品質が良い高品質ビットと合成するため、低品質ビットがこの合成の結果に含まれないから、伝送効率を低下させることなく誤り率を改善することができる。
【００４８】
なお、実施の形態１において、受信装置１００は、選択部１０８がメモリ装置１０６の後段に配置された構成を有している。ただし、受信装置１００の構成はこれに限定されない。たとえば、受信装置１００は、選択部１０８がメモリ装置１０６の前段に配置される構成を有しても良い。この場合、選択部１０８は、送信信号の受信時に高品質ビットの選択を行い、そして、メモリ装置１０６は、選択された高品質ビットのみを一時的に記憶する。したがって、選択部１０８をメモリ装置１０６の前段に配置した場合には、メモリ装置１０６のメモリ容量を削減することができる。
【００４９】
また、実施の形態１における受信装置１００は、任意の伝送方式（たとえばＣＤＭＡ方式、ＯＦＤＭ方式、ＯＦＤＭ−ＣＤＭＡ方式、ＤＳ−ＣＤＭＡ方式およびシングルキャリア方式等）の無線通信システムにおける基地局装置に適用することができる。この場合、上記の受信装置１００の作用効果を基地局装置において実現することができる。さらに、実施の形態１における受信装置１００は、任意の伝送方式の無線通信システムにおける通信端末装置に適用することができる。この場合、上記の受信装置１００の作用効果を通信端末装置において実現することができる。
【００５０】
（実施の形態２）
図５は、本発明の実施の形態２に係る受信装置の構成を示すブロック図である。なお、実施の形態２に係る受信装置は、実施の形態１において説明した受信装置１００と同様の基本的構成を有しており、同一の構成要素には同一の参照符号を付し、その説明を省略する。
【００５１】
図５に示す受信装置５００は、図１に示す受信装置１００における選択部１０８の代わりに適応選択部５０２を有し、さらに、受信レベル測定部５０４を具備してなるものである。
【００５２】
受信部１０４の入力端子は、アンテナ１０２に接続されている。受信レベル測定部５０４の入力端子は、受信部１０４に接続されている。メモリ装置１０６の入力端子は、受信部１０４に接続されている。適応選択部５０２の入力端子は、メモリ装置１０６、受信信号出力部１１６および受信レベル測定部５０４に接続されている。合成部１１０の入力端子は、受信部１０４、適応選択部５０２および受信信号出力部１１６に接続されている。誤り訂正部１１２の入力端子は、合成部１１０に接続されている。誤り検出部１１４の入力端子は、誤り訂正部１１２に接続されている。受信信号出力部１１６の入力端子は、誤り訂正部１１２および誤り検出部１１４に接続されている。
【００５３】
受信レベル測定部５０４は、アンテナ１０２を介して受信された送信装置からの送信信号を受信部１０４から取得する。受信レベル測定部５０４は、送信信号の受信レベルを測定する。また、受信レベル測定部５０４は、測定された受信レベルを表示するレベル表示信号（たとえばＲＳＳＩ：  Ｒｅｃｅｉｖｅｄ  Ｓｉｇｎａｌ  Ｓｔｒｅｎｇｔｈ  Ｉｎｄｉｃａｔｏｒ）を出力する。
【００５４】
適応選択部５０２は、再送要求が行われることを示す再送要求通知信号を受信信号出力部１１６から受けることにより、再送信号が受信されることを認識する。再送信号の受信時に、適応選択部５０２は、メモリ装置１０６に記憶された送信信号を読み出す。そして、適応選択部５０２は、送信信号の所定数のビットの各々の受信品質が良いか否かに基づいて、受信品質が良いビット（高品質ビット）を選択する。一方、適応選択部５０２は、受信品質が悪いビット（低品質ビット）を選択しない。適応選択部５０２は、高品質ビットを出力する。
【００５５】
また、適応選択部５０２は、高品質ビットの選択を行う際に、受信レベル測定部５０４からのレベル表示信号に従って（つまり、送信信号の受信レベルに応じて）送信信号の所定数のビットのうち高品質ビットとして選択すべきビットの個数を適応的に変化させる。
【００５６】
次いで、適応選択部５０２において高品質ビットとして選択すべきビットの個数を適応的に変化させる動作の一例について説明する。
【００５７】
適応選択部５０２は、レベル表示信号において示された送信信号の受信レベルを予め記憶されている所定の閾値と比較する。そして、適応選択部５０２は、この比較の結果、受信レベルが閾値より高い場合に、送信信号における所定数のビットのうち上位２ビットを高品質ビットとして選択する。また、適応選択部５０２は、この比較の結果、受信レベルが閾値より低い場合に、送信信号における所定数のビットの全てを高品質ビットとして選択する。
【００５８】
ここで、適応選択部５０２が上記のような動作を行う根拠について説明する。図６は、変調方式が１６ＱＡＭであり、かつ、符号化率Ｒ＝３／４の場合におけるマルチパス環境下でのパケット誤り率（ＰＥＲ：  Ｐａｃｋｅｔ  Ｅｒｒｏｒ  Ｒａｔｅ）特性を説明するための図である。図６に示すとおり、受信レベルが−６０［ｄＢｍ］より高い場合、ＰＥＲは低下する。一方、受信レベルが−６０［ｄＢｍ］より低い場合、ＰＥＲは上昇する。
【００５９】
換言すれば、受信レベルが比較的高い場合、受信品質の劣化の主な要因はマルチパスによる符号間干渉またはＣＤＭＡ方式の場合の拡散符号間干渉等である。一方、受信レベルが比較的低い場合、受信品質の劣化の主な要因は熱雑音である。したがって、受信レベルが比較的高い場合、送信信号の一部のビットを高品質ビットとして再送信号との合成に使用することにより、合成後の再送信号において低品質が含まれることがなくなる。また、受信レベルが比較的低い場合、送信信号の全てのビットを高品質ビットとして再送信号との合成に使用することにより、合成後の信号レベルを高くすることができる。
【００６０】
このように、実施の形態２によれば、実施の形態１における効果に加えて、再送信号と合成される送信信号における高品質ビットの個数を送信信号の受信レベルに応じて適応的に変化させるため、如何なる伝搬環境の下においても誤り率を改善することができる。
【００６１】
また、実施の形態２における受信装置５００は、任意の伝送方式（たとえばＣＤＭＡ方式、ＯＦＤＭ方式、ＯＦＤＭ−ＣＤＭＡ方式、ＤＳ−ＣＤＭＡ方式およびシングルキャリア方式等）の無線通信システムにおける基地局装置に適用することができる。この場合、上記の受信装置５００の作用効果を基地局装置において実現することができる。さらに、実施の形態２における受信装置５００は、任意の伝送方式の無線通信システムにおける通信端末装置に適用することができる。この場合、上記の受信装置５００の作用効果を通信端末装置において実現することができる。
【００６２】
【発明の効果】
以上説明したように、本発明によれば、送信装置からの送信信号の所定数のビットの各々の受信品質が良いか否かに基づいて前記所定数のビットのうちの受信品質が良い高品質ビットを選択して、前記送信装置からの再送信号を前記高品質ビットと合成するから、誤り率を改善することができる。
【図面の簡単な説明】
【図１】本発明の実施の形態１に係る受信装置の構成を示すブロック図
【図２】本発明の実施の形態１に係る受信装置の選択部における動作の一例を説明するための図
【図３】１６ＱＡＭの信号点配置を示す図
【図４】本発明の実施の形態１に係る受信装置の選択部における動作の他の例を説明するための図
【図５】本発明の実施の形態２に係る受信装置の構成を示すブロック図
【図６】本発明の実施の形態２に係る受信装置の適応選択部における動作の一例を説明するための図
【図７】従来の受信装置の構成の一例を示すブロック図
【符号の説明】
１００、５００  受信装置
１０２  アンテナ
１０４  受信部
１０６  メモリ装置
１０８  選択部
１１０  合成部
１１２  誤り訂正部
１１４  誤り検出部
１１６  受信信号出力部
５０２  適応選択部
５０４  受信レベル測定部
【図１】
2004248196.tif 000003
【図２】
2004248196.tif 000004
【図３】
2004248196.tif 000005
【図４】
2004248196.tif 000006
【図５】
2004248196.tif 000007
【図６】
2004248196.tif 000008
【図７】
2004248196.tif 000009